(57)【要約】【課題】従来、ゴルフのパット練習では感覚的な練習を繰り返すことが多く、パットを行う場合に重要な練習者の両眼をボールの中心とパットしようとする基準線の真上に構えて正確にアドレスすることができない。  本発明は、パター練習において両眼の位置がボールの真上であることを正確に確認でき、正確なアドレスの姿勢を身につけることを可能とするパター練習補助具を提供する。【解決手段】パター練習マットに描いたカップ中心とパットを行うマット末端側の中心を結ぶ基準線に合致するようにマットの上空に一対の支柱に取り付けた照準とする糸を張るパター練習補助具。  練習者が両眼の中心を結ぶ線、ボールの中心、パター練習マットの基準線、および上空に張った照準の糸が重なって見えるように構えると正確なアドレスの姿勢を完成させることができ、糸がボールを打ち出す方向の照準となるパター練習補助具。【選択図】図１
2014014636.tif 000002
【特許請求の範囲】
【請求項１】
ゴルフのパター練習マットのカップに向かうマットの基準線上空に、カップ後方側壁に立てた支柱とマット末端側台座に立てた支柱に取り付けた照準とする糸をカップ側が低くなるように傾斜して張り、マット末端側の糸に吊り下げる下げ振りによって照準とする糸の鉛直位置を調整することができるパター練習補助具。
【請求項２】
一対の台座と高さの異なる支柱によりパター練習マットの基準線上空に照準の糸を張る請求項１のパター練習補助具。
【請求項３】
照準の糸に代わり、台座と支柱に取り付けた細棒を照準として使用する請求項１のパター練習補助具。
【請求項４】
パットする位置に置く薄板の鏡で、鏡面にパッティングラインと一致させる基準線を描き、ゴルフボールを置く鏡の中央部分にマットと同材質のもの、またはフェルトを張ったパター練習補助具。
【請求項５】
パター練習マットに描く直線に代わり、１５ｃｍから２０ｃｍの間隔で小径の丸印を印したパター練習補助具。
【請求項６】
幅のあるパター練習マットに平行なカップ中心を通る直線に相当する丸印の他、平行な線に対して角度を持ったカップ中心を通る複数の直線に相当する小径の丸印を印した請求項５のパター練習補助具。
【発明の詳細な説明】
【技術分野】
【０００１】  本発明は、ゴルフのパター練習の効果を高める練習補助具に関するものである。
【背景技術】
【０００２】  従来、ゴルフパターの練習には練習用パターマットを利用することが多く、練習用パターマットは無地や目標のカップまでパッティングラインが直線で描かれているものがある。
また、練習用パターマットの上部にゴルフパターのヘッドの高さとゴルフボールの直径以上の離隔を持ってマットと平行を保つように張った糸を利用することが知られている（実用新案文献１参照）。
さらに、練習マットに示す直線に代わりゴルフボール直径に等しいマークを直線的に印すことが知られている（実用新案文献２参照）。
【先行技術文献】
【０００３】
【実用新案文献１】
登録実用新案公報  第３０５２４６０号
【実用新案文献２】
登録実用新案公報  第３１６６５２８号
【発明の概要】
【発明が解決しようとする課題】
【０００４】  練習用パターマットを利用して反復練習する場合、練習マットに印したパッティングラインの基準線やマット上部にマットと平行に張った糸を目安として練習を行うため、正確にアドレスの姿勢を作ることができない。
本発明は、パットを行うアドレスの姿勢で練習者がボールの真上に両眼が位置することを確認することができ、繰り返し正確な姿勢でパットの練習を行うことができるようになされるものである。
【問題を解決するための手段】
【０００５】  パター練習マット（７）のカップ（１８）後方とパッティングを行うマットの末端側でカップ中心（１７）を通る糸（１）を傾斜させて張り、パットを行う側の糸（１）に下げ振り（４）を吊り下げ、下げ振り（４）を真上から見てパター練習マット（７）に印された基準線（５ａ）や基準点（５ｂ）に下げ振り（４）の先端が一致するように設置すると糸（１）を基準線（５ａ）等の鉛直上空に設置することができ、アドレスの照準とすることができると同時にパッティングでボール（６）を打ち出す方向の照準となる。
糸（１）を張る場合、カップ（１８）後方の練習マット（７）の壁（１９）に立てた支柱ａ（２ａ）の先端に糸（１）を結び、他方をマット末端側に置く台座ｂ（３ｂ）に取り付けた支柱ｂ（２ｂ）の先端に結ぶ。カップ（１８）側の糸（１）はゴルフボールが通過できる程度の高さを保ち、マット末端側の糸（１）の高さは練習者の膝の高さ程度とする。なお、練習マットの末端側で糸（１）に下げ振り（４）を吊り下げ、照準の糸（１）をパター練習マット（７）の基準線（５ａ）等の鉛直上空に傾斜して張る。
練習者がパターマットの基準線（５ａ）や基準点（５ｂ）、その上に置かれたボール（６）の中心および上空に張られた糸（１）が全て重なるように真上から見て構えると、ボール（６）の鉛直上空に両眼（８）を正対させることができ、パット時のアドレスの姿勢を完成させることができる。
【０００６】  また、パター練習マット（７）の上空に張る照準用の糸（１）に代え、末端側に台座ｃ（３ｃ）と支柱ｃ（２ｃ）を設け、その支柱の穴（２１）に細棒（９）を挿し込むと、細棒（９）の中心線を基準線（５ａ）や基準点（５ｂ）の鉛直上空の照準とすることができる。簡易な設置方法として、下げ振り（４）に代わり、支柱ｃ（２ｃ）を取り付ける台座ｃ（３ｃ）に印される基準マーク（１０）をパター練習マット（７）の基準線（５ａ）や基準点（５ｂ）に合わせることでも足りる。
なお、下げ振り（４）を使用すると細棒（９）を正確に基準線（５ａ）等の鉛直上空に一致させることができる。
【０００７】  さらに、パットを行うボール（６）を置く位置に設置する鏡で、基準線（５ａ）と一致させる基準線（１２）を鏡表面に描き、鏡（１１）の中心部にパター練習マット（７）と同材質のものやフェルト等の布（１３）を張ったパター練習補助具で、アドレスの時、鏡（１１）に映る両眼（８）の位置と鏡（１１）の基準線（１２）との重なりを確認すればさらに正確なアドレスの姿勢が完成される。
【０００８】  パター練習マット（７）にはパッティングの基準とする直線に代わり、小径の基準点（５ｂ）を１５ｃｍから２０ｃｍの一定間隔で印すと、ボールを打ち出す方向の基準とすることができるとともに、パタークラブ（１４）の打撃の強弱を調整するパターヘッド（１５）の振り幅を会得する目安となる。
【発明の効果】
【０００９】  従来のパター練習マット（７）および練習用具では正確なアドレスの基本となる打ち出すボール（６）の真上にあるべき両眼の位置を確認することができない。
本発明の練習具によりパッティングの時に重要な両眼（８）の位置と両眼を結ぶ中心線（１６）を正確にボール（６）の真上で基準線（５ａ）等に一致させることができるためパターのアドレスの姿勢を正確に反復でき、練習効果を著しく向上させることが可能である。
【図面の簡単な説明】
【００１０】
【図１】本発明の斜視図
【図２】本発明のパッティングアドレス時の説明図
【図３】一対の台座と支柱を用いる場合の中央部分省略の斜視図
【図４】細棒を用いる場合の部分斜視図
【図５】パター練習マットの平面図  図５ａ  パター練習マット平面図  図５ｂ  パター練習マットのカップ周辺部分平面図
【図６】鏡を利用した場合の部分斜視図
【発明を実施するための形態】
【００１１】  以下、本発明の実施の形態を説明する。
図１は、パター練習マット（７）のカップ（８）後方の支柱ａ（２ａ）とカップ（１８）に対し反対側に台座ｂ（３ｂ）に取り付けた支柱ｂ（２ｂ）の先端に糸（１）を取り付け、パター練習マット（７）の基準線（５ａ）や基準点（５ｂ）等の上空に糸（１）を張る。パター練習マット（７）の末端側の糸（１）に下げ振り（４）を吊り下げる。
図２は、パターアドレス時の照準とする糸（１）とボール（６）の中心、パター練習マット（７）の基準線（５ａ）等、練習者の両眼（８）を鉛直線上に一致させた時の図である。
図３は、一対の台座と支柱で照準の糸（１）を張る場合で、カップ側の台座（３ａ）と支柱（２ａ）および練習マット（７）の末端側の台座（３ｂ）と支柱（２ｂ）で構成する。練習マット（７）末端側に配置する台座（３ｂ）はその底面付近に基準マーク（１０）を設ける。本構成の場合も下げ振り（４）を使用すれば正確に照準の糸（１）を設置することができる。
図４は、パター練習マット（７）の上空の照準として細棒（９）を使用する図である。  台座（３ｃ）に取り付けた支柱（２ｃ）の穴（２１）に細棒（９）を差し込んでその細棒（９）を照準とするパター練習補助具を示す。また、支柱（２ｃ）側に下げ振り（４）を吊り下げて鉛直位置を調整する状態を示す。台座（３ｃ）の底面付近に基準マーク（１０）を設ける。
図５ａは、パター練習マットにカップ中心を通る直線に代わり基準点（５ｂ）を一定間隔で印した例を示す平面図である。
図５ｂは、カップ（１８）付近の部分平面図で、カップ中心（１７）を通る複数の基準線に対応する複数の支柱取り付け孔（２０）を示す図である。
図６は、上記に示すパター練習補助具に加えてパター練習マット（７）上に鏡（１１）を置いて使用する状態を示す図である。鏡には基準線（１２）を描き、ボールを置くため鏡中央部にマットと同材質のもの、またはフェルト等の布（１３）を張った練習補助具である。鏡（１１）の利用は、照準の糸（１）に加え、アドレスの時、鏡（１１）に映る両眼（８）の位置が鏡の基準線（１２）とボール（６）中心に一致しているかどうかを確認することができる。また、パター練習マット（７）と上記の鏡（１１）を使用するだけでもパター練習が可能である。
本発明は、練習者がパットの構えをする時、両眼（８）を打ち出すボールの鉛直上空に置いてアドレスできるとともに、パター練習マット上でパターヘッド（１５）を動かす空間が十分に確保できるためパタークラブ（１４）のスウィング動作が円滑に行える特徴を有する。
【符号の説明】
【００１２】１  糸、２ａ  支柱ａ、２ｂ  支柱ｂ、３ａ  台座ａ、３ｂ  台座ｂ、３ｃ  台座ｃ、４  下げ振り、５ａ  基準線、５ｂ  基準点、６  ボール、７  パター練習マット、８  両眼、９  細棒、１０  基準マーク、１１  鏡、１２  鏡の基準線、１３  布、１４  パタークラブ、１５  パターヘッド、１６  両眼を結ぶ中心線、１７  カップ中心、１８  カップ、１９  壁、２０  支柱取り付け孔、２１  穴、２２  鉛直線
【図１】
2014014636.tif 000003
【図２】
2014014636.tif 000004
【図３】
2014014636.tif 000005
【図４】
2014014636.tif 000006
【図５】
2014014636.tif 000007
【図６】
2014014636.tif 000008